(57)【要約】      （修正有） 【課題】本考案は設置場所、収納物に応じ収納量を増減できる構造の下駄箱を提供する。【解決手段】天板、扉、裏板、及び、取り付け孔を有する左右側板により構成される底板のない外箱と棚板を備え左右の側板に等間隔の取り付け孔を有する２〜４個の独立した内箱で構成される下駄箱であって外箱側板と内箱側板及び内箱側板どうしの取り付け孔を組み合わせ、ボルトナット止めにて希望の高さに設定、或いは変更することにより、収納量を増減できる。【選択図】図７
0003122425.tif 000002
【実用新案登録請求の範囲】
【請求項１】
天板、扉、裏板、前台輪，及び、取り付け孔を有する左右側板により構成される底板のない外箱と棚板を備え独立した２個の内箱により構成される下駄箱であって、各内箱両側板に等間隔にあけられた取り付け孔と内箱側板および外箱側板の取り付け孔とをボルト、ナットで組み付ける構造であり、なおかつ取り付け孔の組み合わせ位置を変更することにより収納量を増減できる構造を有することを特徴とする下駄箱。但し２個の内箱の高さ、幅は同じ寸法に限定するものではない。   
【請求項２】
天板、扉，裏板、前台輪、及び、取り付け孔を有する左右側板により構成される底板のない外箱と棚板を備え独立した３個の内箱により構成される下駄箱であって、各内箱両側板に等間隔にあけられた取り付け孔と内箱側板および外箱側板の取り付け孔とをボルト、ナットで組み付ける構造であり、なおかつ取り付け孔の組み合わせ位置を変更することにより収納量を増減できる構造を有することを特徴とする下駄箱。但し３個の内箱の高さ、幅は同じ寸法に限定するものではない。
【請求項３】
天板、扉、裏板、前台輪、及び、取り付け孔を有する左右側板により構成される底板のない外箱と棚板を備え独立した４個の内箱により構成される下駄箱であって、各内箱両側板に等間隔にあけられた取り付け孔と内箱側板および外箱側板の取り付け孔とをボルト、ナットで組み付ける構造であり、なおかつ取り付け孔の組み合わせ位置を変更することにより収納量を増減できる構造を有することを特徴とする下駄箱。但し４個の内箱の高さ、幅は同じ寸法に限定するものではない。      
【考案の詳細な説明】
【技術分野】
【０００１】
本考案は収納量を増減できる機能を有する下駄箱に関するものである。
【背景技術】
【０００２】
従来の下駄箱は単体の箱によって構成されているため収納量が一定で収納量、収納場所、収納物のサイズ，等により増減することができない構造である。
【０００３】
【非特許文献１】松下電工株式会社  ２００５  インテリアカタログ    （リビエ）Ｐ３１９〜３６５
【考案の開示】
【考案が解決しようとする課題】
【０００４】
従来の多くの下駄箱は単体の箱で構成され、収納量が一定に限定されるため、収納力不足、使い勝手が悪い、長い傘やゴルフバックが収納出来ない等、設置場所及び収納物に応じて収納量を増減できないことに問題点があった。
【課題を解決するための手段】
【０００５】
本考案は、従来の問題点を解決するための手段として外箱と２〜４個の内箱を組み合わせ外箱と内箱の取り付け位置を変更することにより収納量を増減できる下駄箱を提供するものである。  
【考案の効果】
【０００６】
上述のように、本考案の下駄箱は図１〜３で示すように外箱と２〜４個の内箱により構成され、図４〜７で示すように内箱と外箱の取り付け位置、組み合わせが変更できる構造により収納量を増減できる効果がある。
【考案を実施するための最良の形態】
【０００７】
以下、図１〜７を参照して本考案の実施の形態に係る構造を説明する。
【実施例】
【０００８】
以下、添付図面に従って実施の形態に係る構造を説明する。図１は請求項１に該当する下駄箱外箱と２個の内箱の形態を説明した斜視図である。外箱は天板１、扉、裏板３、前台輪４、及び、取り付け孔５を有する左右側板２により構成される底板のない箱である。内箱６は棚板９、アジャスター８を備え、両側板１０に等間隔の取り付け孔７があけられた独立した２個の箱である。実施例については以下の項目００１１及び００１４にて説明する。但し２個の内箱の幅及び高さ寸法は同一に限定するものではない。扉は多種多様であり本考案の構造に直接影響するものではなく説明を簡潔にするため図示を省略する。中仕切り１８は必要不可欠のものではない。
【０００９】
図２は請求項２に該当する下駄箱外箱と３個の内箱の形態を説明した斜視図である。外箱は天板１、扉、裏板３、前台輪４、及び、取り付け孔５を有する左右側板２により構成される底板のない箱である。内箱１２は棚板９、アジャスター８を備え、両側板１０に等間隔の取り付け孔７があけられた独立した３個の箱である。実施例については以下の項目００１２にて説明する。但し3個の内箱の幅及び高さの寸法は同一に限定するものではない。扉は多種多様であり本考案の構造に直接影響するものではなく説明を簡潔にするため図示を省略する。中仕切り１８は必要不可欠のものではない。
【００１０】
図３は請求項３に該当する下駄箱外箱と4個の内箱の形態を説明した斜視図である。外箱は天板１、扉、裏板３、前台輪４、及び、取り付け孔５を有する左右側板２により構成される底板のない箱である。内箱１４は棚板９、アジャスター8を備え、両側板１０に等間隔の取り付け孔７があけられた独立した４個の箱である。実施例については以下の項目００１３にて説明する。但し3個の内箱の幅及び高さの寸法は同一に限定するものではない。扉は多種多様であり本考案の構造に直接影響するものではなく説明を簡潔にするため図示を省略する。中仕切り１８は必要不可欠のものではない。
【００１１】
図４は請求項１に該当する実施例である。外箱側板２の取り付け孔５と2個の内箱６の側板１０にあけられた取り付け孔７を組み合わせボルト、ナットで止め、上がりカマチ１１に片側を載せ、上がりカマチ上にスリッパ、靴箱等の収納スペース１６を作り、片側は土間に設置し日常使用頻度の高い靴等の収納スペース１９を作った実施例の斜視図である。下駄箱本体の水平は内箱左右画側板１０に付けられたアジャスター８により調整され、必要に応じて追加棚板１７により収納量をさらに増加できる構造を説明するものである。扉は下駄箱構造、機能の説明を簡潔にするため図示を省略する。
【００１２】
図５は請求項２に該当する実施例である。外箱側板２の取り付け孔５と3個の内箱１２の側板１０にあけられた取り付け孔７を組み合わせボルト、ナットで止め、３個の内箱１２を同じ高さで設定し収納量を増加させた実施例の斜視図である。上述のように棚板1７を追加すれば、さらに収納量を増加することも可能である。扉は下駄箱構造、機能の説明を簡潔にするため図示を省略する。
【００１３】
図６は請求項3に該当する実施例である。外箱側板２の取り付け孔５と4個の内箱１４の側板１０にあけられた取り付け孔７を組み合わせボルト、ナットで止め、４個の内箱１４から１個の天板１５をはずし内箱と外箱を組みあわせることにより長尺物の傘、ゴルフバック等の収納スペース１３を作ることができる実施例の斜視図である。棚板１７を追加することにより収納量はさらに増加できる。扉は下駄箱構造、機能の説明を簡潔にするため図示を省略する。
【００１４】
図７は2個のサイズの違う内箱と外箱とを組み合わせ片側をあがりカマチ１１に載せ収納スペース１６及び１９を確保した状態の実施例の斜視図である。棚板１７を追加することにより収納量はさらに増加できる。扉は下駄箱構造、機能の説明を簡潔にするため図示を省略する。
【図面の簡単な説明】
【００１５】
【図１】本考案の外箱と２個の内箱の形態を示す斜視図である。
【図２】本考案の外箱と３個の内箱の形態を示す斜視図である。
【図３】本考案の外箱と４個の内箱の形態を示す斜視図である。
【図４】本考案の外箱と２個の内箱の組み合わせ実施例を示す斜視図である。
【図５】本考案の外箱と３個の内箱の組み合わせ実施例を示す斜視図である。
【図６】本考案の外箱と４個の内箱の組み合わせ実施例を示す斜視図である。
【図７】本考案の外箱と寸法の違う２個の内箱の組み合わせ実施例を示す斜視図である。
【符号の説明】
【００１６】
１  外箱天板  
２  外箱側板  
３  裏板  
４  前台輪  
５  外箱取り付け孔  
６  ２個の内箱  
７  内箱取り付け孔
８  アジャスター  
９  内箱棚板  
１０  内箱側板  
１１  上がりカマチ  
１２  ３個の内箱
１３  長尺物収納スペース  
１４  ４個の内箱
１５  内箱天板
１６  上がりカマチ上のスペース
１７  追加棚板  
１８  中仕切り
１９  頻度の高い靴等の収納スペース
【図１】
0003122425.tif 000003
【図２】
0003122425.tif 000004
【図３】
0003122425.tif 000005
【図４】
0003122425.tif 000006
【図５】
0003122425.tif 000007
【図６】
0003122425.tif 000008
【図７】
0003122425.tif 000009
【手続補正書】
【提出日】平成18年3月31日(2006.3.31)
【手続補正１】
【補正対象書類名】実用新案登録請求の範囲
【補正対象項目名】全文
【補正方法】変更
【補正の内容】
【実用新案登録請求の範囲】
【請求項１】
外箱と２個の内箱によって構成される下駄箱において（１）外箱は天板、扉、裏板、前台輪、及び、取り付け孔を有する左右側板により構成される底板のない構造であり、（２）２個の内箱は両側板に等間隔の取り付け孔があけられた独立した箱であり、（３）外箱の中に２個の内箱を組合せ側板取り付け孔と孔をボルトとナットで組み付け、収納量の増減は組み付け位置を変更する事により可能な構造からなる収納量増減可能下駄箱。
【請求項２】
外箱と３個の内箱によって構成される下駄箱において（１）外箱は天板、扉、裏板、前台輪、及び、取り付け孔を有する左右側板により構成される底板のない構造であり、（２）３個の内箱は両側板に等間隔の取り付け孔があけられた独立した箱であり、（３）外箱の中に３個の内箱を組合せ側板取り付け孔と孔をボルトとナットで組み付け、収納量の増減は組み付け位置を変更する事により可能な構造からなる収納量増減可能下駄箱。
【請求項３】
外箱と４個の内箱によって構成される下駄箱において（１）外箱は天板、扉、裏板、前台輪、及び、取り付け孔を有する左右側板により構成される底板のない構造であり、（２）４個の内箱は両側板に等間隔の取り付け孔があけられた独立した箱であり、（３）外箱の中に４個の内箱を組合せ側板取り付け孔と孔をボルトとナットで組み付け、収納量の増減は組み付け位置を変更する事により可能な構造からなる収納量増減可能下駄箱。